(57)【要約】【課題】第１端末と第２端末とに提供されるコンテンツの選択に第２ユーザを関与させるために第２ユーザに行わせる操作が煩雑になることを抑制することを目的とする。【解決手段】第１ユーザの第１端末と第２ユーザの第２端末とに提供されるコンテンツを用いたコミュニケーションの依頼を当該第１端末から受信して当該第２端末に送信する送受信手段と、前記第２端末から、前記依頼の承諾に関する承諾情報を取得する取得手段と、前記取得手段に前記承諾情報が取得されたことに基づき、前記第１端末と前記第２端末との通信を確立する確立手段と、前記取得手段に前記承諾情報が取得されたことに基づき、複数種類の前記コンテンツのうちの前記第１端末と前記第２端末とに提供されるコンテンツの選択を少なくとも前記第１端末から受け付ける受付手段と、前記受付手段に受け付けられた前記コンテンツを前記第１端末と前記第２端末とに提供する提供手段と、を備えた、コミュニケーションシステム。【選択図】図６
2020048087.tif 000002
【特許請求の範囲】
【請求項１】
第１ユーザの第１端末と第２ユーザの第２端末とに提供されるコンテンツを用いたコミュニケーションの依頼を当該第１端末から受信して当該第２端末に送信する送受信手段と、
前記第２端末から、前記依頼の承諾に関する承諾情報を取得する取得手段と、
前記取得手段に前記承諾情報が取得されたことに基づき、前記第１端末と前記第２端末との通信を確立する確立手段と、
前記取得手段に前記承諾情報が取得されたことに基づき、複数種類の前記コンテンツのうちの前記第１端末と前記第２端末とに提供されるコンテンツの選択を少なくとも前記第１端末から受け付ける受付手段と、
前記受付手段に受け付けられた前記コンテンツを前記第１端末と前記第２端末とに提供する提供手段と、
を備えた、コミュニケーションシステム。
【請求項２】
前記取得手段に前記承諾情報が取得されたことに基づき、前記複数種類のコンテンツに関するコンテンツ画像を前記第１端末の表示部と前記第２端末の表示部とに表示させ、当該第１端末における当該コンテンツ画像の表示内容が変わると、変更内容を当該第２端末における当該コンテンツ画像の表示内容に反映させる表示制御手段をさらに備えた、請求項１記載のコミュニケーションシステム。
【請求項３】
前記コミュニケーションの依頼を行う依頼ユーザと当該依頼を受ける被依頼ユーザとにより前記コンテンツを用いて取られたコミュニケーションの履歴を記憶する記憶手段と、
前記取得手段に前記承諾情報が取得されたことに基づき、一のコンテンツを用いてコミュニケーションを取った前記被依頼ユーザの年齢に関する年齢情報を前記第１端末の表示部に表示させる表示制御手段と、
をさらに備えた、請求項１記載のコミュニケーションシステム。
【請求項４】
前記表示制御手段は、前記第２ユーザの年齢が、前記年齢情報に基づいて定められた年齢の範囲に属する場合、前記一のコンテンツに関する画像とともに予め定められた標章を前記第１端末に表示させることを特徴とする請求項３記載のコミュニケーションシステム。
【請求項５】
前記コンテンツを用いて行われたユーザ間のコミュニケーションの履歴を記憶する記憶手段と、
前記取得手段に前記承諾情報が取得されたことに基づき、一のコンテンツを用いて取られたユーザ間のコミュニケーションの時間に関する時間情報を前記第１端末の表示部に表示させる表示制御手段と、
をさらに備えた、請求項１記載のコミュニケーションシステム。
【請求項６】
前記時間情報は、前記一のコンテンツを用いて取られたユーザ間のコミュニケーションの平均時間であることを特徴とする請求項５記載のコミュニケーションシステム。
【請求項７】
コンピュータに、
第１ユーザの第１端末と第２ユーザの第２端末とに提供されるコンテンツを用いたコミュニケーションの依頼を当該第２端末に送信する機能と、
前記第２端末から、前記依頼の承諾に関する承諾情報を取得する取得機能と、
前記取得機能に前記承諾情報が取得されたことに基づき、前記第１端末と前記第２端末との通信を確立する機能と、
前記取得機能に前記承諾情報が取得されたことに基づき、複数種類のコンテンツのうちの前記第１端末と前記第２端末とに提供されるコンテンツの選択を少なくとも前記第１端末から受け付ける受付機能と、
前記受付機能に受け付けられた前記コンテンツを前記第１端末に提供する機能と、
を実現させるための、プログラム。
【発明の詳細な説明】
【技術分野】
【０００１】
本発明は、コミュニケーションシステムおよびプログラムに関する。
【背景技術】
【０００２】
例えば特許文献１には、ゲーム提供装置は、プレーヤにより対戦指示が入力されると、対戦相手となるプレーヤを決定し、プレーヤとプレーヤとを対戦させることが開示されている。
【先行技術文献】
【特許文献】
【０００３】
【特許文献１】特開２０１３−０４２９３５号公報
【発明の概要】
【発明が解決しようとする課題】
【０００４】
例えば、第１ユーザの第１端末からのコミュニケーションの依頼が第２ユーザの第２端末で承諾されると、第１端末と第２端末とに特定のコンテンツを提供するシステムがある。
ここで、第２端末に送信されるコミュニケーションの依頼においてコンテンツの種類が既に設定されている場合、第２ユーザによるコンテンツの選択の自由度が低くなることがある。一方、第１端末と第２端末とに提供されるコンテンツを第２ユーザに選択させる場合、ユーザによっては、選択のための操作を煩雑に感じることがある。
【０００５】
本発明は、第１端末と第２端末とに提供されるコンテンツの選択に第２ユーザを関与させるために第２ユーザに行わせる操作が煩雑になることを抑制することを目的とする。
【課題を解決するための手段】
【０００６】
かかる目的のもと、本発明は、第１ユーザの第１端末と第２ユーザの第２端末とに提供されるコンテンツを用いたコミュニケーションの依頼を当該第１端末から受信して当該第２端末に送信する送受信手段と、前記第２端末から、前記依頼の承諾に関する承諾情報を取得する取得手段と、前記取得手段に前記承諾情報が取得されたことに基づき、前記第１端末と前記第２端末との通信を確立する確立手段と、前記取得手段に前記承諾情報が取得されたことに基づき、複数種類の前記コンテンツのうちの前記第１端末と前記第２端末とに提供されるコンテンツの選択を少なくとも前記第１端末から受け付ける受付手段と、前記受付手段に受け付けられた前記コンテンツを前記第１端末と前記第２端末とに提供する提供手段と、を備えた、コミュニケーションシステムである。
ここで、コミュニケーションシステムは、前記取得手段に前記承諾情報が取得されたことに基づき、前記複数種類のコンテンツに関するコンテンツ画像を前記第１端末の表示部と前記第２端末の表示部とに表示させ、当該第１端末における当該コンテンツ画像の表示内容が変わると、変更内容を当該第２端末における当該コンテンツ画像の表示内容に反映させる表示制御手段をさらに備えたことを特徴とすることができる。
また、コミュニケーションシステムは、前記コミュニケーションの依頼を行う依頼ユーザと当該依頼を受ける被依頼ユーザとにより前記コンテンツを用いて取られたコミュニケーションの履歴を記憶する記憶手段と、前記取得手段に前記承諾情報が取得されたことに基づき、一のコンテンツを用いてコミュニケーションを取った前記被依頼ユーザの年齢に関する年齢情報を前記第１端末の表示部に表示させる表示制御手段と、をさらに備えたことを特徴とすることができる。
さらに、前記表示制御手段は、前記第２ユーザの年齢が、前記年齢情報に基づいて定められた年齢の範囲に属する場合、前記一のコンテンツに関する画像とともに予め定められた標章を前記第１端末に表示させることを特徴とすることができる。
また、コミュニケーションシステムは、前記コンテンツを用いて行われたユーザ間のコミュニケーションの履歴を記憶する記憶手段と、前記取得手段に前記承諾情報が取得されたことに基づき、一のコンテンツを用いて取られたユーザ間のコミュニケーションの時間に関する時間情報を前記第１端末の表示部に表示させる表示制御手段と、をさらに備えたことを特徴とすることができる。
さらに、前記時間情報は、前記一のコンテンツを用いて取られたユーザ間のコミュニケーションの平均時間であることを特徴とすることができる。
また、上記の目的を達成する他の本発明は、コンピュータに、第１ユーザの第１端末と第２ユーザの第２端末とに提供されるコンテンツを用いたコミュニケーションの依頼を当該第２端末に送信する機能と、前記第２端末から、前記依頼の承諾に関する承諾情報を取得する取得機能と、前記取得機能に前記承諾情報が取得されたことに基づき、前記第１端末と前記第２端末との通信を確立する機能と、前記取得機能に前記承諾情報が取得されたことに基づき、複数種類のコンテンツのうちの前記第１端末と前記第２端末とに提供されるコンテンツの選択を少なくとも前記第１端末から受け付ける受付機能と、前記受付機能に受け付けられた前記コンテンツを前記第１端末に提供する機能と、を実現させるための、プログラムである。
【発明の効果】
【０００７】
本発明によれば、第１端末と第２端末とに提供されるコンテンツの選択に第２ユーザを関与させるために第２ユーザに行わせる操作が煩雑になることを抑制することができる。
【図面の簡単な説明】
【０００８】
【図１】本実施形態に係るコンテンツ提供システムの全体構成例を示す図である。
【図２】管理サーバ、依頼ユーザの端末、および被依頼ユーザの端末のハードウェア構成例を示す図である。
【図３】管理サーバの機能構成例を示した図である。
【図４】コミュニケーション履歴管理テーブルの一例を示した図である。
【図５】（ａ）、（ｂ）は、依頼ユーザの端末および被依頼ユーザの端末に表示される画像の一例を示した図である。
【図６】依頼ユーザの端末および被依頼ユーザの端末に表示される画像の一例を示した図である。
【図７】依頼ユーザの端末および被依頼ユーザの端末に表示される画像の一例を示した図である。
【図８】依頼ユーザの端末および被依頼ユーザの端末に表示される画像の一例を示した図である。
【図９】依頼ユーザの端末および被依頼ユーザの端末に表示される画像の一例を示した図である。
【図１０】コンテンツ提供システムのシーケンス図である。
【発明を実施するための形態】
【０００９】
以下、添付図面を参照して、本発明の実施形態について詳細に説明する。
＜コンテンツシステムの構成＞
図１は、本実施形態に係るコンテンツ提供システム１の全体構成例を示す図である。
本実施形態に係るコンテンツ提供システム１は、コンテンツを提供することにより、ユーザ同士が提供されたコンテンツを用いてコミュニケーションを取ることを支援するコミュニケーションシステムである。
【００１０】
コンテンツ提供システム１は、管理サーバ１０と、端末２０と、端末３０とを備える。管理サーバ１０と端末２０、および管理サーバ１０と端末３０とは、ネットワークを介して接続されている。
管理サーバ１０は、コンテンツを提供する。具体的には、管理サーバ１０は、コンテンツ提供システム１の利用申請を、端末２０から受け付ける。また、管理サーバ１０は、コンテンツ提供システム１の利用グループへの招待の承諾を、端末３０から受け付ける。さらに、管理サーバ１０は、コンテンツを用いてコミュニケーションを取ることの依頼を端末２０から取得すると、この依頼を端末３０に送信する。そして、管理サーバ１０は、依頼が端末３０にて承諾されることに基づいて、コンテンツを端末２０および端末３０に提供する。本実施形態では、コミュニケーションの依頼を行うユーザを依頼ユーザと称し、コミュニケーションの依頼を受けるユーザを被依頼ユーザと称する。なお、依頼ユーザおよび被依頼ユーザを区別せずに説明する場合には、単にユーザと称する。また、コンテンツとは、依頼ユーザと被依頼ユーザとのコミュニケーションに用いられる情報である。
【００１１】
管理サーバ１０は、例えば、コンピュータにより実現される。管理サーバ１０は、単一のコンピュータにより構成しても良いし、複数のコンピュータによる分散処理により実現しても良い。
【００１２】
端末２０は、依頼ユーザが所持する端末である。
依頼ユーザの端末２０は、画像表示部２１と、カメラ２２と、制御部２３とを備える。
画像表示部２１は、画像を表示する。カメラ２２は、撮影領域内の被写体を撮影する。制御部２３は、依頼ユーザの端末２０の動作を制御する。
【００１３】
端末３０は、被依頼ユーザが所持する端末である。
被依頼ユーザの端末３０は、画像表示部３１と、カメラ３２と、制御部３３とを備える。
被依頼ユーザの端末３０は、依頼ユーザの端末２０と同じ構成である。
【００１４】
依頼ユーザの端末２０および被依頼ユーザの端末３０には、スマートフォンなどの携帯電話、タブレット型端末などの携帯端末機器など、ユーザが持ち歩くことが可能な装置を用いることができる。なお、依頼ユーザの端末２０および被依頼ユーザの端末３０は、例えば、コンピュータ、その他の情報処理装置により実現されてもよい。
本実施形態の依頼ユーザの端末２０および被依頼ユーザの端末３０は、タッチパネルが設けられており、画面をユーザがタッチすることで画面に表示される画像に対する操作および指示を行う。
【００１５】
管理サーバ１０と端末２０との接続、および管理サーバ１０と端末３０との接続に用いられるネットワークは、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００１６】
＜ハードウェア構成例＞
図２は、管理サーバ１０、依頼ユーザの端末２０、および被依頼ユーザの端末３０のハードウェア構成例を示す図である。
図２に示すように、管理サーバ１０、依頼ユーザの端末２０、および被依頼ユーザの端末３０は、演算手段であるＣＰＵ(Central Processing Unit)１００ａと、主記憶手段であるメモリ１００ｃとを備える。また、各装置は、外部デバイスとして、磁気ディスク装置(ＨＤＤ：Hard Disk Drive)１００ｇ、ネットワークインターフェイス１００ｆ、表示機構１００ｄ、音声機構１００ｈ、キーボードやマウス等の入力デバイス１００ｉ等を備える。
【００１７】
メモリ１００ｃおよび表示機構１００ｄは、システムコントローラ１００ｂを介してＣＰＵ１００ａに接続されている。また、ネットワークインターフェイス１００ｆ、磁気ディスク装置１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１８】
磁気ディスク装置１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。
【００１９】
＜管理サーバの機能構成＞
次に、管理サーバ１０の機能構成について説明する。
図３は、管理サーバ１０の機能構成例を示した図である。
管理サーバ１０は、送受信部１１と、利用受付部１２と、利用者管理部１３と、依頼受付部１４と、通信制御部１５と、コンテンツ選択受付部１６と、履歴管理部１７と、選択支援部１８と、コンテンツ提供部１９を備える。
【００２０】
送受信部１１は、ネットワークを介して依頼ユーザの端末２０や被依頼ユーザの端末３０と接続するためのネットワーク・インターフェイスである。これにより、管理サーバ１０は、依頼ユーザの端末２０や被依頼ユーザの端末３０とデータ交換を行う。
【００２１】
利用受付部１２は、依頼ユーザの端末２０から、コンテンツ提供システム１の利用の申請を受け付ける。利用受付部１２は、依頼ユーザの端末２０から利用の申請を受けると、依頼ユーザの端末２０へのログインＩＤの付与や、依頼ユーザの端末２０からの暗証番号の登録の受付を行う。そして、ログインＩＤおよび暗証番号が入力された依頼ユーザの端末２０によるコンテンツ提供システム１の利用を許可し、利用を許可した依頼ユーザをグループの一員とするコンテンツ提供システム１の利用グループを作成する。
【００２２】
また、利用受付部１２は、コンテンツ提供システム１の利用グループに加える被依頼ユーザを決定する。具体的には、利用受付部１２は、依頼ユーザの端末２０から、利用グループに招待したいユーザの指定を受け付ける。ユーザの指定は、例えば、招待したいユーザのメールアドレスを依頼ユーザの端末２０に入力することによって行われる。そして、依頼ユーザに指定されたユーザの端末３０に対し、コンテンツ提供システム１の利用グループへの招待を通知する。利用グループへの招待がユーザの端末３０により承諾されると、利用受付部１２は、このユーザを被依頼ユーザとしてコンテンツ提供システム１の利用グループに加える。利用受付部１２は、利用グループ内の各ユーザに関するユーザ情報を、各ユーザが依頼ユーザおよび被依頼ユーザの何れであるかを識別可能な形式で利用者管理部１３へ送信する。ユーザ情報としては、例えば、ユーザ名、ユーザの年齢、ユーザの性別等が挙げられる。
【００２３】
利用者管理部１３は、コンテンツ提供システム１の利用者を管理する。具体的には、利用者管理部１３は、コンテンツ提供システム１の利用グループごとに、利用グループ内の依頼ユーザと被依頼ユーザとを関連付けて記憶する。
【００２４】
依頼受付部１４は、依頼ユーザの端末２０から、依頼ユーザがコンテンツを用いて被依頼ユーザとコミュニケーションを取ることの依頼（コミュニケーション依頼）を受け付ける。具体的には、依頼受付部１４は、利用者管理部１３にて依頼ユーザに関連付けられて記憶されている被依頼ユーザのうちの一の被依頼ユーザを指定したコミュニケーション依頼を依頼ユーザの端末２０から受信する。依頼受付部１４は、受信したコミュニケーション依頼を、指定された被依頼ユーザの端末３０に通知する。また、コミュニケーション依頼が被依頼ユーザの端末３０により承諾されると、承諾されたことを示す承諾情報を、被依頼ユーザの端末３０から受信する。依頼受付部１４は、承諾情報を受信すると、依頼ユーザの端末２０に、コミュニケーション依頼が承諾されたことを通知する。さらに、承諾情報を通信制御部１５およびコンテンツ選択受付部１６に送信する。
【００２５】
通信制御部１５は、依頼受付部１４から承諾情報を取得すると、依頼ユーザの端末２０と被依頼ユーザの端末３０との音声通信を確立する。音声通信としては、例えば、Ｐ２Ｐ(peer to peer)による通信方式やＶｏＩＰ(Voice over Internet Protocol)による通信方式等が用いられる。
【００２６】
コンテンツ選択受付部１６は、依頼ユーザの端末２０と被依頼ユーザの端末３０とに提供されるコンテンツの選択を受け付ける。具体的には、コンテンツ選択受付部１６は、依頼受付部１４から承諾情報を取得すると、複数種類のコンテンツのうち一のコンテンツを選択させるための選択画面を依頼ユーザの端末２０と被依頼ユーザの端末３０とに表示させる。
【００２７】
また、コンテンツ選択受付部１６は、依頼ユーザの端末２０における選択画面の表示内容を、被依頼ユーザの端末３０における選択画面の表示内容に反映させる。具体的には、コンテンツ選択受付部１６は、依頼ユーザの端末２０における選択画面の表示内容を変えるための操作が依頼ユーザの端末２０にて行われた場合、何れの操作が行われたかを示す操作情報を依頼ユーザの端末２０から取得する。そして、依頼ユーザの端末２０における選択画面の表示内容を、操作情報から特定される操作に応じた表示内容に変える。さらに、被依頼ユーザの端末３０における選択画面の表示内容を、依頼ユーザの端末２０における変更後の選択画面の表示内容と同一の内容に変える。
【００２８】
コンテンツ選択受付部１６は、依頼ユーザの端末２０の選択画面にて一のコンテンツが選択されると、選択されたコンテンツを示す選択情報をコンテンツ提供部１９に送信する。
なお、選択画面の表示内容については、後に詳述する。
【００２９】
履歴管理部１７は、依頼ユーザと被依頼ユーザとのコミュニケーションの履歴を、被依頼ユーザに関する情報に関連付けて管理する。履歴管理部１７の具体的な管理内容については、後に詳述する。
選択支援部１８は、依頼ユーザの端末２０と被依頼ユーザの端末３０とに提供されるコンテンツの選択を支援する。選択支援部１８は、依頼ユーザの端末２０や被依頼ユーザの端末３０に表示される選択画面に、履歴管理部１７に管理されている内容に基づく情報を表示させることで、コンテンツの選択を支援する。
【００３０】
コンテンツ提供部１９は、コンテンツ選択受付部１６から選択情報を取得すると、取得した選択情報から特定されるコンテンツを依頼ユーザの端末２０および被依頼ユーザの端末３０に提供する。
コンテンツ提供部１９が提供するコンテンツの内容は、例えば、予め定められた期間（例えば一か月）ごとに更新されてもよい。また、例えば、コンテンツ提供システム１の利用料として依頼ユーザや被依頼ユーザが支払った金額に応じて、提供するコンテンツの種類や数が設定されてもよい。
【００３１】
＜履歴管理部の管理内容＞
続いて、履歴管理部１７の管理内容について説明する。
図４は、コミュニケーション履歴管理テーブルの一例を示した図である。
図４に示すコミュニケーション履歴管理テーブルは、依頼ユーザがコンテンツ提供システム１を用いてコミュニケーションを取った被依頼ユーザに関する情報や、依頼ユーザと被依頼ユーザとのコミュニケーションの履歴を管理するためのテーブルである。
【００３２】
コミュニケーション履歴管理テーブルは、依頼ユーザごとに設けられている。図４には、「Ａちゃん」を対象の依頼ユーザとするコミュニケーション履歴管理テーブルが示されている。
コミュニケーション履歴管理テーブルでは、「日にち」に、依頼ユーザがコンテンツ提供システム１を用いて被依頼ユーザとコミュニケーションを取った日にちが示されている。また、「被依頼ユーザ」に、依頼ユーザがコミュニケーションを取った被依頼ユーザが示されている。また、「年齢（歳）」に、「被依頼ユーザ」の年齢が示されている。
【００３３】
また、コミュニケーション履歴管理テーブルでは、「コンテンツ」に、依頼ユーザの端末２０と被依頼ユーザの端末３０とに提供されたコンテンツが示されている。また、「タイトル・種目」に、提供された「コンテンツ」の表題や種目が示されている。また、「時間（分）」に、依頼ユーザと被依頼ユーザとが「コンテンツ」を用いてコミュニケーションを取った時間が示されている。また、「勝敗」に、勝敗が生まれる「コンテンツ」を用いて依頼ユーザと被依頼ユーザとがコミュニケーションを取った場合における依頼ユーザの勝ち負けが示されている。
【００３４】
＜端末における画像の表示例＞
次に、依頼ユーザがコミュニケーション依頼を行うときから依頼ユーザと被依頼ユーザとのコンテンツを用いたコミュニケーションが行われるまでに、依頼ユーザの端末２０および被依頼ユーザの端末３０端末に表示される画像について説明する。以下では、依頼ユーザである「Ａちゃん」と被依頼ユーザである「Ｂさん」とが、コンテンツ提供システム１を用いてコミュニケーションを取る場合について説明する。
図５乃至９は、依頼ユーザの端末２０および被依頼ユーザの端末３０に表示される画像の一例を示した図である。以下では、図５乃至９に示された依頼ユーザの端末２０の所有者のことを対象の依頼ユーザと称し、図５乃至９に示された被依頼ユーザの端末３０の所有者のことを対象の被依頼ユーザと称する。
【００３５】
対象の依頼ユーザによるコンテンツ提供システム１の利用が許可され、さらに、この対象の依頼ユーザをグループの一員とする利用グループに対象の被依頼ユーザが加わると、対象の依頼ユーザから対象の被依頼ユーザへのコミュニケーション依頼が可能になる。
図５（ａ）には、対象の依頼ユーザの端末２０における画像表示部２１に表示される依頼受付画面４０が示されている。依頼受付画面４０は、依頼ユーザから被依頼ユーザへのコミュニケーション依頼を受け付けるための画面である。依頼受付画面４０には、「Ｂさんにあそぶおねがいをしますか？」というメッセージが表示されている。
【００３６】
対象の依頼ユーザが否定ボタン４１を選択すると、コミュニケーション依頼は送信されない。対象の依頼ユーザが肯定ボタン４２を選択すると、対象の被依頼ユーザの端末３０における画像表示部３１には、図５（ｂ）に示すように、コミュニケーション依頼通知画面９０が表示される。
コミュニケーション依頼通知画面９０は、依頼ユーザが被依頼ユーザを指定してコミュニケーション依頼を行ったことを被依頼ユーザに通知するための画面である。コミュニケーション依頼通知画面９０には、「Ａちゃんからコミュニケーション依頼がきました。」というメッセージが表示されている。
【００３７】
対象の被依頼ユーザが拒否ボタン９１を選択すると、対象の依頼ユーザの端末２０と対象の被依頼ユーザの端末３０とにはコンテンツが提供されない。この場合、対象の依頼ユーザの端末２０には、コミュニケーション依頼が拒否されたことを示す情報が表示される。
対象の被依頼ユーザが保留ボタン９２を選択すると、管理サーバ１０の通信制御部１５により、対象の依頼ユーザの端末２０と対象の被依頼ユーザの端末３０との音声通信が確立される。この場合、対象の依頼ユーザの端末２０と対象の被依頼ユーザの端末３０とにコンテンツは提供されないが、対象の被依頼ユーザは、対象の依頼ユーザと会話することにより、対象の依頼ユーザとコミュニケーションを取ることができる。
【００３８】
対象の被依頼ユーザが承諾ボタン９３を選択すると、対象の依頼ユーザの端末２０と対象の被依頼ユーザの端末３０との音声通信が確立される。また、図６に示すように、対象の依頼ユーザの端末２０における画像表示部２１には、撮影映像５１と選択画面５２とが表示される。さらに、対象の被依頼ユーザの端末３０における画像表示部３１には、撮影映像９４と選択画面５２とが表示される。
【００３９】
対象の依頼ユーザの端末２０に表示されている情報の内容について説明する。
撮影映像５１は、対象の被依頼ユーザの端末３０におけるカメラ３２に撮影されている映像である。図示の例では、撮影映像５１には、対象の被依頼ユーザが映っている。
選択画面５２には、「なにをしてあそぶかえらんでください。」というメッセージが表示されている。また、選択画面５２には、複数のコンテンツアイコン５３が表示されている。コンテンツアイコン５３には、コンテンツの内容に関する絵、およびコンテンツの名称が表示されている。
【００４０】
各コンテンツアイコン５３に示されているコンテンツについて説明する。
「えほん」は、被依頼ユーザから依頼ユーザへの絵本の読み聞かせを実現するためのコンテンツである。「えほん」のコンテンツが選択されると、例えば、絵本の絵や文章に関する画像が対象の依頼ユーザの端末２０や対象の被依頼ユーザの端末３０に表示される。これにより、対象の被依頼ユーザから対象の依頼ユーザへの絵本の読み聞かせが行われる。
【００４１】
「トランプ」は、依頼ユーザと被依頼ユーザとでトランプを使ったゲームを行うことを実現するためのコンテンツである。「トランプ」のコンテンツが選択されると、例えば、ゲームの進行に応じてトランプのカードが対象の依頼ユーザの端末２０や対象の被依頼ユーザの端末３０に表示される。これにより、対象の依頼ユーザと対象の被依頼ユーザとによりトランプを使ったゲームが行われる。
【００４２】
「おだい」は、特定の題目について依頼ユーザと被依頼ユーザとで特定の題目について会話することを実現するためのコンテンツである。「おだい」のコンテンツが選択されると、例えば、特定の題目が対象の依頼ユーザの端末２０と対象の被依頼ユーザの端末３０とに表示される。これにより、表示された題目について対象の依頼ユーザと対象の被依頼ユーザとの会話が行われる。
【００４３】
「ぬりえ」は、特定の対象物について依頼ユーザと被依頼ユーザとが塗り絵を行うことを実現するためのコンテンツである。「ぬりえ」のコンテンツが選択されると、例えば、特定の対象物が対象の依頼ユーザの端末２０と対象の被依頼ユーザの端末３０とに表示される。また、対象の依頼ユーザの端末２０および対象の被依頼ユーザの端末３０の何れか一方において、対象物に色を塗る操作が行われると、一方の端末における対象物と他方の端末における対象物に色が塗られる。これにより、依頼ユーザと被依頼ユーザとによる塗り絵が行われる。
【００４４】
このように、本実施形態では、依頼ユーザの端末２０と被依頼ユーザの端末３０とに共通の種類のコンテンツが提供され、依頼ユーザと被依頼ユーザとは、提供されたコンテンツを用いてコミュニケーションを取る。
【００４５】
選択画面５２に表示されている情報の説明に戻る。
「おだい」のコンテンツアイコン５３には、シニアマーク５４が表示されている。シニアマーク５４は、対象のコンテンツが予め定められた年齢（例えば６０歳）以上の被依頼ユーザ向けのコンテンツであることを示す標章である。シニアマーク５４は、各依頼ユーザのコミュニケーション履歴管理テーブル（図４参照）に示された「年齢（歳）」の平均値が予め定められた年齢以上である「コンテンツ」のコンテンツアイコン５３に表示される。具体的には、一の「コンテンツ」に関連付けられた「被依頼ユーザ」の「年齢（歳）」の平均値が、予め定められた年齢以上である場合において、この「コンテンツ」に係るコンテンツアイコン５３に表示される。ここで、各依頼ユーザとは、コンテンツ提供システム１の利用が許可された依頼ユーザの各々である。
また、「おだい」のコンテンツアイコン５３には、適齢マーク５７が表示されている。適齢マーク５７は、対象の被依頼ユーザの年齢が、シニアマーク５４の表示条件として定められた年齢に属している場合に、シニアマーク５４とともにコンテンツアイコン５３に表示される。
【００４６】
また、「トランプ」のコンテンツアイコン５３には、長時間マーク５５が表示されている。長時間マーク５５は、対象のコンテンツを用いた依頼ユーザと被依頼ユーザとのコミュニケーションが長時間行われやすいことを示す標章である。長時間マーク５５は、各依頼ユーザのコミュニケーション履歴管理テーブルに示された「時間（分）」の平均値が、長時間として定められた時間（例えば６０分）以上であるコンテンツのコンテンツアイコン５３に表示される。具体的には、一の「コンテンツ」に関連付けられた「時間（分）」の平均値が、長時間として定められた時間以上である場合において、この「コンテンツ」に係るコンテンツアイコン５３に表示される。
【００４７】
また、「ぬりえ」のコンテンツアイコン５３には、短時間マーク５６が表示されている。短時間マーク５６は、対象のコンテンツを用いた依頼ユーザと被依頼ユーザとのコミュニケーションが短時間で済みやすいことを示す標章である。短時間マーク５６は、各依頼ユーザのコミュニケーション履歴管理テーブルに示された「時間（分）」の平均値が、短時間として予め定められた時間（例えば３０分）以下であるコンテンツのコンテンツアイコン５３に表示される。具体的には、一の「コンテンツ」に関連付けられた「時間（分）」の平均値が、短時間として定められた時間以下である場合において、この「コンテンツ」に係るコンテンツアイコン５３に表示される。
【００４８】
また、対象の依頼ユーザの端末２０には、詳細ボタン５８が表示されている。詳細ボタン５８は、コンテンツアイコン５３における詳細な内容が示された詳細画面を表示させるためのボタンである。詳細画面については、後に詳述する。
【００４９】
対象の被依頼ユーザの端末３０には、撮影映像９４が表示されている。撮影映像９４は、対象の依頼ユーザの端末２０のカメラ２２に撮影されている映像である。図示の例では、撮影映像９４には、対象の依頼ユーザが映っている。
また、対象の被依頼ユーザの端末３０には、選択画面５２が表示されている。この選択画面５２は、依頼ユーザの端末２０に表示されている選択画面５２と同一の内容が表示される。
なお、被依頼ユーザの端末３０には、詳細ボタン５８が表示されていない。
【００５０】
図示の例では、対象の依頼ユーザの端末２０における選択画面５２および対象の被依頼ユーザの端末３０における選択画面５２では、「トランプ」のコンテンツアイコン５３にカーソルが合わせられている。ここで、対象の依頼ユーザが、「えほん」のコンテンツアイコン５３にカーソルを合わせる操作を行うと、図７に示すように、対象の依頼ユーザの端末２０における選択画面５２では、「えほん」のコンテンツアイコン５３にカーソルが合わせられる。また、これに伴い、対象の被依頼ユーザの端末３０における選択画面５２でも、「えほん」のコンテンツアイコン５３にカーソルが合わせられる。また、図示を省略するが、例えば、対象の依頼ユーザの端末２０における選択画面５２がスクロールされて新たなコンテンツアイコン５３が表示されると、対象の被依頼ユーザの端末３０における選択画面５２もスクロールされ、対象の依頼ユーザの端末２０に表示されているものと同じコンテンツアイコン５３が新たに表示される。
このように、本実施形態では、依頼ユーザの端末における選択画面５２の表示内容が変わると、変更内容が被依頼ユーザの端末３０における選択画面５２に反映される。
【００５１】
対象の依頼ユーザと対象の被依頼ユーザとは、例えば、共通の選択画面５２を見ながら何れのコンテンツを選択するか話し合うことができる。
ここで、対象の依頼ユーザが、「えほん」のコンテンツアイコン５３にカーソルを合わせた状態で詳細ボタン５８を選択すると、対象の依頼ユーザの端末２０に表示されていた選択画面５２は、図８に示すように、詳細画面６０に切り替わる。また、対象の被依頼ユーザの端末３０に表示されていた選択画面５２も、詳細画面６０に切り替わる。対象の依頼ユーザの端末２０における詳細画面６０と、対象の被依頼ユーザの端末３０における詳細画面６０には、同一の内容が表示される。
【００５２】
詳細画面６０には、コンテンツ名６１と、回数情報６２と、被依頼ユーザ年代情報６３と、最長時間情報６４と、最短時間情報６５と、平均時間情報６６と、詳細コンテンツ６７とが表示されている。
【００５３】
コンテンツ名６１には、選択画面５２（図７参照）にて対象の依頼ユーザに選択されたコンテンツアイコン５３に係るコンテンツの名称が表示されている。以下では、コンテンツ名６１に示されているコンテンツのことを、対象コンテンツと称する。
回数情報６２には、対象の依頼ユーザの端末２０と対象の被依頼ユーザの端末３０とに対象コンテンツが提供された回数が表示されている。回数情報６２に示されている回数は、対象の依頼ユーザのコミュニケーション履歴管理テーブル（図４参照）において対象の「被依頼ユーザ」に関連付けられて示されている対象「コンテンツ」の数である。
【００５４】
被依頼ユーザ年代情報６３には、依頼ユーザが過去に対象コンテンツを用いてコミュニケーションを取った被依頼ユーザの平均の年代が表示されている。被依頼ユーザ年代情報６３に示されている年代は、各依頼ユーザのコミュニケーション履歴管理テーブルにおいて対象「コンテンツ」に関連付けられた「年齢（歳）」の平均年齢が属する年代である。
最長時間情報６４には、対象の依頼ユーザと対象の被依頼ユーザとが過去に対象コンテンツを用いて取ったコミュニケーションの最長時間が表示されている。最長時間情報６４に示されている時間は、対象の依頼ユーザのコミュニケーション履歴管理テーブルにおいて対象の「被依頼ユーザ」および対象「コンテンツ」に関連付けられている「時間（分）」のうち最も長い「時間（分）」である。
【００５５】
最短時間情報６５には、対象の依頼ユーザと対象の被依頼ユーザとが過去に対象コンテンツを用いて取ったコミュニケーションの最短時間が表示されている。最短時間情報６５に示されている時間は、対象の依頼ユーザのコミュニケーション履歴管理テーブルにおいて対象の「被依頼ユーザ」および対象「コンテンツ」に関連付けられている「時間（分）」のうち最も短い「時間（分）」である。
平均時間情報６６には、対象の依頼ユーザと対象の被依頼ユーザとが過去に対象コンテンツを用いて取ったコミュニケーションの平均時間が示されている。平均時間情報６６に示されている時間は、対象の依頼ユーザのコミュニケーション履歴管理テーブルにおいて対象の「被依頼ユーザ」および対象「コンテンツ」に関連付けられている「時間（分）」の平均値である。
【００５６】
詳細コンテンツ６７には、対象コンテンツの具体的な種類が表示されている。対象コンテンツが「えほん」の場合、各詳細コンテンツ６７には、絵本に登場するキャラクタの画像と絵本のタイトルが表示されている。
【００５７】
また、対象の依頼ユーザの端末２０には、戻るボタン６８と決定ボタン６９とが表示されている。戻るボタン６８は、対象の依頼ユーザの端末２０に表示されている詳細画面６０を選択画面５２に切り替えるためのボタンである。決定ボタン６９は、選択したコンテンツを依頼ユーザの端末２０および被依頼ユーザの端末３０に提供させるためのボタンである。
【００５８】
ここで、選択画面５２と同様に、対象の依頼ユーザの端末における詳細画面６０の表示内容が変わると、変更内容が対象の被依頼ユーザの端末３０における詳細画面６０に反映されるようになっている。
なお、対象の被依頼ユーザの端末３０には、戻るボタン６８と決定ボタン６９とが表示されていない。
【００５９】
対象の依頼ユーザと対象の被依頼ユーザとは、例えば、共通の詳細画面６０を見ながら対象コンテンツのうち何れの種類を選択するか話し合うことができる。広義には、詳細画面６０も選択画面５２として捉えられる。
【００６０】
対象の依頼ユーザが、「みきちゃんのおでかけ」の詳細コンテンツ６７にカーソルを合わせた状態で決定ボタン６９を選択すると、図９に示すように、対象の依頼ユーザの端末２０および対象の被依頼ユーザの端末３０には、詳細コンテンツ６７に係るコンテンツが提供される。図示の例では、対象の依頼ユーザの端末２０には、絵本の絵が描かれた絵画面８０が表示されている。また、対象の被依頼ユーザの端末３０には、絵本の文章が書かれた文章画面９５が表示されている。
【００６１】
対象の被依頼ユーザが、文章画面９５に表示されている文章「今日は、待ちに待ったお出かけです。」を読み上げると、対象の依頼ユーザは、読み上げられた話を聞いて、対象の依頼ユーザの端末２０における絵画面８０に表示されている女の子がお出かけすることを理解する。このように、絵本の読み聞かせを通じて、対象の依頼ユーザと対象の被依頼ユーザとのコミュニケーションが行われる。
【００６２】
対象の依頼ユーザの端末２０に表示されている終了ボタン８１や対象の被依頼ユーザの端末３０に表示されている終了ボタン９６が選択されると、絵画面８０や文章画面９５が非表示になり、コンテンツの提供が終了する。ここで、詳細画面６０（図８参照）の決定ボタン６９の操作に関する操作情報が管理サーバ１０に受信されてから、終了ボタン８１や終了ボタン９６の操作に関する操作情報が管理サーバ１０に受信されるまでの時間が、コミュニケーション履歴管理テーブル（図４参照）に「時間（分）」として新たに管理される。この場合に、対象の被依頼ユーザに関する情報やコミュニケーションの履歴が関連付けられて管理される。
【００６３】
このように、本実施形態では、依頼ユーザの端末２０と被依頼ユーザの端末３０とにコンテンツが提供され、依頼ユーザと被依頼ユーザとは、提供されたコンテンツを利用しながら互いにコミュニケーションを取る。本実施形態のコンテンツ提供システム１を用いることで、例えば、孫（依頼ユーザの一例）と、この孫の祖父母（被依頼ユーザの一例）とが互いに離れた場所に居住する場合であっても、孫と祖父母とがコミュニケーションを取ることができる。また、例えば、孫の親は、祖父母にコミュニケーション依頼をすることで、孫の面倒を見るために必要な時間を、夕飯の支度などの他の用事を済ますために必要な時間に充てることができる。
【００６４】
ここで、被依頼ユーザの端末３０にコミュニケーション依頼が通知される時点において、依頼ユーザによりコンテンツの種類が既に設定されている場合、被依頼ユーザによるコンテンツの選択の自由度が低くなることがある。一方、被依頼ユーザにコンテンツを選択させる場合、ユーザによっては、選択のための操作を煩雑に感じることがある。
【００６５】
そこで、本実施形態では、コミュニケーション依頼が承諾されると、依頼ユーザの端末２０と被依頼ユーザの端末３０との音声通信を確立させる。そして、この状態で、依頼ユーザの端末２０と被依頼ユーザの端末３０とに提供されるコンテンツの選択を依頼ユーザの端末２０から受け付ける。
この場合、依頼ユーザと被依頼ユーザとで話し合いながら依頼ユーザがコンテンツを選択できるようになり、依頼ユーザと被依頼ユーザとでコンテンツを決定するために被依頼ユーザに行わせる操作が煩雑になることが抑制される。
【００６６】
また、本実施形態では、選択画面５２（図６参照）や詳細画面６０（図８参照）を依頼ユーザの端末２０と被依頼ユーザの端末３０とに表示させ、依頼ユーザの端末２０における画面の表示内容が変わると、変更内容を被依頼ユーザの端末３０における画面の表示内容に反映させる。
この場合、依頼ユーザと被依頼ユーザとが同一の情報を見ながら話し合えるため、コンテンツを選択するための依頼ユーザと被依頼ユーザとの意思疎通が取られやすくなる。
【００６７】
また、本実施形態では、コンテンツを用いて行われたユーザ間のコミュニケーションの時間に関する情報を選択画面５２や詳細画面６０に表示させる。
この場合、依頼ユーザや被依頼ユーザにとって都合の良い時間に応じたコンテンツを選択することができる。
【００６８】
また、本実施形態では、コンテンツを用いてコミュニケーションを取った被依頼ユーザの年齢に関する情報を選択画面５２や詳細画面６０に表示させる。
この場合、被依頼ユーザの年齢に応じたコンテンツを選択することができる。
【００６９】
＜コンテンツ提供システムの動作例＞
続いて、本実施形態のコンテンツ提供システム１の動作例について説明する。
図１０は、コンテンツ提供システム１のシーケンス図である。
図１０に示すように、依頼ユーザは、依頼ユーザの端末２０を用いて、コンテンツ提供システム１の利用申請を行う（Ｓ１０１）。
管理サーバ１０の利用受付部１２は、依頼ユーザの端末２０からの利用申請を受け付け、依頼ユーザによるコンテンツ提供システム１の利用を許可する（Ｓ１０２）。また、依頼ユーザの端末２０に対し、コンテンツ提供システム１の利用グループに招待したいユーザを指定させる（Ｓ１０３）。
【００７０】
依頼ユーザは、利用グループに招待したいユーザを指定する（Ｓ１０４）。
管理サーバ１０の利用受付部１２は、依頼ユーザに指定された被依頼ユーザの端末３０に対し、利用グループへの招待を通知する（Ｓ１０５）。
被依頼ユーザは、被依頼ユーザの端末３０を用いて、利用グループへの招待を承諾する（Ｓ１０６）。
管理サーバ１０の利用受付部１２は、依頼ユーザの端末２０に対し、被依頼ユーザの利用グループへの招待が承諾されたことを通知する（Ｓ１０７）。
【００７１】
依頼ユーザは、被依頼ユーザを指定してコミュニケーション依頼を行う（Ｓ１０８）。
管理サーバ１０の依頼受付部１４は、コミュニケーション依頼を被依頼ユーザの端末３０に通知する（Ｓ１０９）。
被依頼ユーザは、通知されたコミュニケーション依頼を承諾する（Ｓ１１０）。
【００７２】
管理サーバ１０の通信制御部１５は、依頼ユーザの端末２０と被依頼ユーザの端末３０との音声通信を確立する（Ｓ１１１）。
管理サーバ１０のコンテンツ選択受付部１６は、依頼ユーザの端末２０と被依頼ユーザの端末３０とに、選択画面５２を表示させる（Ｓ１１２）。
依頼ユーザは、選択画面５２からコンテンツを選択する（Ｓ１１３）。
コンテンツ提供部１９は、依頼ユーザに選択されたコンテンツを依頼ユーザの端末２０および被依頼ユーザの端末３０に提供する（Ｓ１１４）。
【００７３】
なお、本実施形態では、依頼ユーザに指定されたユーザが利用グループへの招待を承諾することにより、コミュニケーション依頼を受ける対象となる被依頼ユーザが加わることを説明したが、これに限定されない。
例えば、ユーザがコミュニケーション依頼を受ける者としてコンテンツ提供システム１の利用申請を行うことで、コミュニケーション依頼を受ける対象となる被依頼ユーザが加わってもよい。この場合に、依頼ユーザは、自らが所属している利用グループ外の被依頼ユーザに対してコミュニケーション依頼を行ってもよい。
【００７４】
また、コンテンツ提供システム１により提供されるコンテンツは、上記の例に限定されず、上記したコンテンツとは異なる種類のコンテンツが提供されてもよい。
【００７５】
また、例えば、被依頼ユーザの端末３０における選択画面５２にも詳細ボタン５８が選択可能に設けられてもよい。また、例えば、被依頼ユーザの端末３０における詳細画面６０にも戻るボタン６８や決定ボタン６９が選択可能に設けられてもよい。
また、例えば、被依頼ユーザの操作に基づいて被依頼ユーザの端末３０における選択画面５２や詳細画面６０の表示内容が変わると、変更内容を依頼ユーザの端末２０における選択画面５２や詳細画面６０の表示内容に反映してもよい。
【００７６】
また、選択画面５２（図６参照）に表示されているシニアマーク５４、長時間マーク５５、短時間マーク５６、および適齢マーク５７の一部または全部は、詳細画面６０（図８参照）に表示されてもよい。
また、詳細画面６０に表示されている回数情報６２、被依頼ユーザ年代情報６３、最長時間情報６４、最短時間情報６５、平均時間情報６６、および詳細コンテンツ６７の一部または全部は、選択画面５２に表示されてもよい。
また、詳細コンテンツ６７ごとに、回数情報６２、被依頼ユーザ年代情報６３、最長時間情報６４、最短時間情報６５、平均時間情報６６、シニアマーク５４、長時間マーク５５、短時間マーク５６、および適齢マーク５７が表示されてもよい。
【００７７】
また、シニアマーク５４の表示条件を満たすか否かの判定に各依頼ユーザのコミュニケーション履歴管理テーブルを用いることを説明したが、対象の依頼ユーザのコミュニケーション履歴管理テーブルのみを用いてもよい。すなわち、シニアマーク５４は、対象の依頼ユーザのコミュニケーション履歴管理テーブル（図４参照）において一の「コンテンツ」に関連付けられた「被依頼ユーザ」の「年齢（歳）」の平均が、予め定められた年齢以上である場合において、この「コンテンツ」に係るコンテンツアイコン５３に表示されてもよい。また、シニアマーク５４は、例えば、「被依頼ユーザ」の「年齢（歳）」の平均が、予め定められた年代（例えば６０代）である場合や、予め定められた年齢（例えば６０歳）である場合に表示されてもよい。この場合に、適齢マーク５７は、対象の被依頼ユーザの年齢が、シニアマーク５４の表示条件として定められた年代に属している場合や、表示条件として定められた年齢から予め定められた範囲内である（例えば５歳以上離れていない）場合に表示されてもよい。
また、一の「コンテンツ」に関連付けられた「被依頼ユーザ」の「年齢（歳）」の平均が、予め定められた年齢（例えば２０歳）以下である場合に、この「コンテンツ」に係るコンテンツアイコン５３に予め定められた標章が表示されてもよい。この場合に、適齢マーク５７は、対象の被依頼ユーザの年齢が、この標章の表示条件として定められた年齢から予め定められた範囲内である（例えば５歳以上離れていない）場合に表示されてもよい。
【００７８】
また、長時間マーク５５の表示条件を満たすか否かの判定に各依頼ユーザのコミュニケーション履歴管理テーブルを用いることを説明したが、対象の依頼ユーザのコミュニケーション履歴管理テーブルのみを用いてもよい。すなわち、長時間マーク５５は、対象の依頼ユーザのコミュニケーション履歴管理テーブルにおいて一の「コンテンツ」に関連付けられた「時間（分）」の平均値が、長時間として定められた時間以上である場合において、この「コンテンツ」に係るコンテンツアイコン５３に表示されてもよい。また、対象の依頼ユーザのコミュニケーション履歴管理テーブルのうち対象の「被依頼ユーザ」に関する情報のみを用いてもよい。すなわち、対象の依頼ユーザのコミュニケーション履歴管理テーブルにおいて一の「コンテンツ」および対象の「被依頼ユーザ」に関連付けられた「時間（分）」の平均値が、長時間として定められた時間以上である場合において、この「コンテンツ」に係るコンテンツアイコン５３に表示されてもよい。
【００７９】
また、短時間マーク５６の表示条件を満たすか否かの判定に各依頼ユーザのコミュニケーション履歴管理テーブルを用いることを説明したが、対象の依頼ユーザのコミュニケーション履歴管理テーブルのみを用いてもよい。すなわち、短時間マーク５６は、対象の依頼ユーザのコミュニケーション履歴管理テーブルにおいて一の「コンテンツ」に関連付けられた「時間（分）」の平均値が、短時間として定められた時間以下である場合において、この「コンテンツ」に係るコンテンツアイコン５３に表示されてもよい。また、対象の依頼ユーザのコミュニケーション履歴管理テーブルのうち対象の「被依頼ユーザ」に関する情報のみを用いてもよい。すなわち、対象の依頼ユーザのコミュニケーション履歴管理テーブルにおいて一の「コンテンツ」および対象の「被依頼ユーザ」に関連付けられた「時間（分）」の平均値が、短時間として定められた時間以下である場合において、この「コンテンツ」に係るコンテンツアイコン５３に表示されてもよい。
【００８０】
また、回数情報６２に表示される回数は、対象の依頼ユーザのコミュニケーション履歴管理テーブルにおいて対象の「被依頼ユーザ」に関連付けられて示されている対象「コンテンツ」の数であることを説明したが、「被依頼ユーザ」に関連付けられていない対象「コンテンツ」の数が含まれてもよい。すなわち、回数情報６２には、対象の依頼ユーザのコミュニケーション履歴管理テーブルに示されている対象「コンテンツ」の数が表示されてもよい。
【００８１】
また、被依頼ユーザ年代情報６３に表示される年代の算出に各依頼ユーザのコミュニケーション履歴管理テーブルを用いることを説明したが、対象の依頼ユーザのコミュニケーション履歴管理テーブルのみを用いてもよい。すなわち、被依頼ユーザ年代情報６３には、対象の依頼ユーザのコミュニケーション履歴管理テーブルにおいて対象「コンテンツ」に関連付けられた「年齢（歳）」の平均年齢が属する年代が表示されてもよい。
【００８２】
また、最長時間情報６４に表示される「時間（分）」の対象は、対象の依頼ユーザのコミュニケーション履歴管理テーブルにおいて対象の「被依頼ユーザ」および対象「コンテンツ」に関連付けられている「時間（分）」であることを説明したが、対象の「被依頼ユーザ」に関連付けられていない「時間（分）」が対象となってもよい。すなわち、最長時間情報６４には、対象の依頼ユーザのコミュニケーション履歴管理テーブルにおいて対象「コンテンツ」に関連付けられている「時間（分）」のうち最も長い「時間（分）」が表示されてもよい。また、最長時間情報６４に表示される「時間（分）」の対象は、対象の依頼ユーザのコミュニケーション履歴管理テーブルに示されている「時間（分）」に限定されない。すなわち、最長時間情報６４には、各依頼ユーザのコミュニケーション履歴管理テーブルにおいて対象「コンテンツ」に関連付けられている「時間（分）」のうち最も長い「時間（分）」が表示されてもよい。
【００８３】
また、最短時間情報６５に表示される「時間（分）」の対象は、対象の依頼ユーザのコミュニケーション履歴管理テーブルにおいて対象の「被依頼ユーザ」および対象「コンテンツ」に関連付けられている「時間（分）」であることを説明したが、対象の「被依頼ユーザ」に関連付けられていない「時間（分）」が対象となってもよい。すなわち、最短時間情報６５には、対象の依頼ユーザのコミュニケーション履歴管理テーブルにおいて対象「コンテンツ」に関連付けられている「時間（分）」のうち最も短い「時間（分）」が表示されてもよい。また、最短時間情報６５に表示される「時間（分）」の対象は、対象の依頼ユーザのコミュニケーション履歴管理テーブルに示されている「時間（分）」に限定されない。すなわち、最短時間情報６５には、各依頼ユーザのコミュニケーション履歴管理テーブルにおいて対象「コンテンツ」に関連付けられている「時間（分）」のうち最も短い「時間（分）」が表示されてもよい。
【００８４】
また、平均時間情報６６に表示される時間の算出に、対象の依頼ユーザのコミュニケーション履歴管理テーブルにおいて対象の「被依頼ユーザ」および対象「コンテンツ」に関連付けられている「時間（分）」を用いることを説明したが、対象の「被依頼ユーザ」に関連付けられていない「時間（分）」を用いてもよい。すなわち、平均時間情報６６には、対象の依頼ユーザのコミュニケーション履歴管理テーブルにおいて対象「コンテンツ」に関連付けられている「時間（分）」の平均値が表示されてもよい。また、平均時間情報６６に表示される時間の算出に用いるのは、対象の依頼ユーザのコミュニケーション履歴管理テーブルに限定されない。すなわち、各依頼ユーザのコミュニケーション履歴管理テーブルにおいて対象「コンテンツ」に関連付けられている「時間（分）」の平均値が表示されてもよい。
【００８５】
また、選択画面５２や詳細画面６０に表示される情報は、上記のものに限定されず、コミュニケーション履歴管理テーブルに管理されている内容に基づく情報が表示されてもよい。
例えば、一のコンテンツにおいて、対象の被依頼ユーザに対する対象の依頼ユーザの勝敗が表示されてもよい。
【００８６】
また、本実施形態では、依頼ユーザによりコンテンツが選択されると、選択されたコンテンツが依頼ユーザの端末２０と被依頼ユーザの端末３０とに表示される例を説明したが、これに限定されない。
例えば、依頼ユーザに選択されたコンテンツが音声として依頼ユーザの端末２０と被依頼ユーザの端末３０とに出力されてもよい。
【００８７】
また、本実施形態では、被依頼ユーザの端末３０にコミュニケーション依頼が通知された場合において、被依頼ユーザが保留ボタン９２（図５参照）を選択した場合には、依頼ユーザの端末２０および被依頼ユーザの端末３０にコンテンツが提供されないことを説明した。
ここで、保留ボタン９２を選択した場合に、依頼ユーザの端末２０と被依頼ユーザの端末３０とに選択画面５２や詳細画面６０が表示されてもよい。そして、表示された画面にて、被依頼ユーザがコミュニケーション依頼を承諾するか否かを選択できるようにしてもよい。
【００８８】
また、本実施形態では、依頼ユーザの端末２０や被依頼ユーザの端末３０など、ユーザによる操作が行われる端末に画像を表示することを説明したが、画像を表示可能な表示媒体であれば、ユーザによる操作が行われる端末とは別の表示媒体に画像を表示させてもよい。
【００８９】
また、本実施形態では、通信制御部１５が、依頼ユーザの端末２０と被依頼ユーザの端末３０との音声通信を確立することを説明した。ここで、通信制御部１５により確立される通信の種類は、音声通信に限定されない。
例えば、通信制御部１５は、依頼ユーザの端末２０と被依頼ユーザの端末３０との間で互いにテキスト情報の送受信が可能になるように、依頼ユーザの端末２０と被依頼ユーザの端末３０との通信を確立するようにしてもよい。
【００９０】
また、本実施形態では、管理サーバ１０から送信された情報が依頼ユーザの端末２０や被依頼ユーザの端末３０に出力されることで、依頼ユーザと被依頼ユーザとのコンテンツを用いたコミュニケーションが実現される構成としたが、これに限定されない。
例えば、依頼ユーザの端末２０や被依頼ユーザの端末３０が管理サーバ１０の機能を有してもよい。言い換えると、依頼ユーザの端末２０や被依頼ユーザの端末３０が、管理サーバ１０の送受信部１１、利用受付部１２、利用者管理部１３、依頼受付部１４、通信制御部１５、コンテンツ選択受付部１６、履歴管理部１７、選択支援部１８、コンテンツ提供部１９等の機能を備えることとしてもよい。
【００９１】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【００９２】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【符号の説明】
【００９３】
１…コンテンツ提供システム、１０…管理サーバ、１１…送受信部、１２…利用受付部、１３…利用者管理部、１４…依頼受付部、１５…通信制御部、１６…コンテンツ選択受付部、１７…履歴管理部、１８…選択支援部、１９…コンテンツ提供部、２０…端末、２１…画像表示部、２２…カメラ、２３…制御部、３０…端末、３１…画像表示部、３２…カメラ、３３…制御部
【図１】
2020048087.tif 000003
【図２】
2020048087.tif 000004
【図３】
2020048087.tif 000005
【図４】
2020048087.tif 000006
【図５】
2020048087.tif 000007
【図６】
2020048087.tif 000008
【図７】
2020048087.tif 000009
【図８】
2020048087.tif 000010
【図９】
2020048087.tif 000011
【図１０】
2020048087.tif 000012